(57)【要約】【課題】      ルア−の取り付けが容易で、ケ−スを開いたときに止着したルア−が動くことを防止した釣り用ルア−ケ−スを提供すること。【解決手段】  ケ−ス体１が見開き状に開閉して、二つ折り可能な皮革や合成樹脂の台板２の上のケ−ス体内面側の左右に多孔質材からなる柔軟性を有する中子３が貼着固定され、中子３を覆って柔軟性を有する多孔質シ−ト４が台板２の上に敷設されて貼着固定されて中子３の外側の多孔質シ−ト４の部分は膨出状態となって台部からなる針掛け部４ａとなり、他の部分は針掛け部４ａより低い底面４ｂとなり、底面４ｂ上には上方から下方に向けて帯状のカバ−体７が載せられ、カバ−体７の上端と下端は夫々台板２上に固定され、針掛け部４ａに差し込まれた釣り針８に係止されたルア−本体９はカバ−体７の下側に開口７ａから差し込まれる。【選択図】        図１
2005278555.tif 000002
【特許請求の範囲】
【請求項１】
ケ−ス体の内部に釣り針が係止可能な針掛け部と前記針掛け部に釣り針を係止したルア−本体を覆って前記ルア−本体の揺動を規制するカバ−体を設けたことを特徴とする釣り用ルア−ケ−ス。
【請求項２】
カバ−体は、その両端がケ−ス体に支持されており、針掛け部側にルア−本体を差し込むための開口を有していることを特徴とする請求項１記載の釣り用ルア−ケ−ス。
【請求項３】
カバ−体は、ポケット状に形成したことを特徴とする請求項１又は２記載の釣り用ルア−ケ−ス。
【請求項４】
切り溝を設けてカバ−体を形成したことを特徴とする請求項１乃至３記載の釣り用ルア−ケ−ス。
【発明の詳細な説明】
【技術分野】
【０００１】
本発明は、収納したルア−の揺動や絡みを防止した釣り用ルア−ケ−スに関する。
【背景技術】
【０００２】
従来の釣り用ルア−ケ−スは、特許文献１のようにケ−ス体内部に鉤掛け部を有するプレ−トを重ねて収納したものや、特許文献２のようにケ−ス体内部に針掛け用の複数の通し溝を形成した係止板とルア−保持用の複数の挟み溝を形成した保持体を装着したもの等があった。
特許文献１では、鉤掛け部に釣り針を係止してぶら下げるようにルア−を止着しただけであるため、ルア−を取り出すためにプレ−トを開くとルア−が動いて垂れ下がってしまい、ルア−同志が絡んだり、ケ−スの外側に突出してしまうため再びケ−スを閉じるときにはルア−を整列し直さなければならず面倒であった。
特許文献２では、ケ−ス体内部にルア−本体部の挟み溝を有するため、収納したルア−が動いてしまうことが防止されるが、ルア−本体部の挾持部は挟み溝によって形成されているため、ルア−本体部を溝に位置合わせして差し込む必要があり取り付けが面倒であったり、また、溝の位置や溝の幅など止着するルア−に合致しない場合があり、取り付けが出来ない場合があった。
【特許文献１】特開平１１−１６９０４３号公報
【特許文献２】特開平８−２１４７４９号公報
【発明の開示】
【発明が解決しようとする課題】
【０００３】
解決しようとする問題点は、従来の釣り用ルア−ケ−スは、ルア−が取り付けにくかったり、また、ケ−スを開くとルア−が動いてしまいケ−スを閉じるときにはルア−を整列し直さなければならず面倒であることである。
【０００４】
本発明の目的は前記欠点に鑑み、ルア−の取り付けが容易で、ケ−スを開いたときに止着したルア−が動くことを防止した釣り用ルア−ケ−スを提供することである。
【課題を解決するための手段】
【０００５】
本発明の請求項１は、ケ−ス体の内部に釣り針が係止可能な針掛け部と前記針掛け部に釣り針を係止したルア−本体を覆って前記ルア−本体の揺動を規制するカバ−体を設けたことを要旨とするものである。
本発明の請求項２は、カバ−体は、その両端がケ−ス体に支持されており、針掛け部側にルア−本体を差し込むための開口を有していることを要旨とするものである。
本発明の請求項３は、カバ−体は、ポケット状に形成したことを要旨とするものである。
本発明の請求項４は、切り溝を設けてカバ−体を形成したことを要旨とするものである。
【発明の効果】
【０００６】
本発明により、ルア−の取り付けが容易で、ケ−スを開いたときに止着したルア−が動くことを防止しているため容易にルア−が収納出来る。
【発明を実施するための最良の形態】
【０００７】
ケ−ス体１が見開き状に開閉して収納部（ケ−ス体内部）を露呈させるようになっており、二つ折り可能な皮革や合成樹脂の台板２の上のケ−ス体内面側の左右に多孔質材からなる柔軟性を有する中子３が貼着固定され、中子３を覆って柔軟性を有する多孔質シ−ト４が台板２の上に敷設されて貼着固定されている。
中子３を覆う柔軟性を有する多孔質シ−ト４が台板２の上に敷設されると、中子３の外側の多孔質シ−ト４の部分は膨出状態となって台部からなる針掛け部４ａとなり、他の部分は針掛け部４ａより低い底面４ｂとなり、台部からなる針掛け部４ａと低い底面４ｂの間に傾斜面４ｃが形成される。
底面４ｂ上には上方から下方に向けて帯状のカバ−体７が載せられ、カバ−体７の上端と下端は夫々台板２上に固定され、長手方向の中程が縫着等でαのように固定されている。
針掛け部４ａに差し込まれた釣り針８に係止されたルア−本体９はカバ−体７の下側に開口７ａから差し込まれる。
【実施例１】
【０００８】
以下、図示の実施例によって本発明を説明すると、図１から図４は第１実施例で、図１は釣り用ルア−ケ−スを開いた斜視図、図２は釣り用ルア−ケ−スの断面側面図、図３は釣り用ルア−ケ−スの要部拡大断面側面図、図４は釣り用ルア−ケ−スが閉じられた斜視図である。
【０００９】
釣り用ルア−ケ−スは、ケ−ス体１が見開き状に開閉して収納部（ケ−ス体内部）を露呈させるようになっており、二つ折り可能な皮革や合成樹脂の台板２の上のケ−ス体内面側の左右に多孔質材からなる柔軟性を有する中子３が貼着固定され、中子３を覆って柔軟性を有する多孔質シ−ト４が台板２の上に敷設されて貼着固定されている。
台板２の周囲は縁取り５され、縁取り５の内側に台板２を二つ折りに閉じるファスナ−６が取り付けられている。
中子３を覆う柔軟性を有する多孔質シ−ト４が台板２の上に敷設されると、中子３の外側の多孔質シ−ト４の部分は膨出状態となって台部からなる針掛け部４ａとなり、ケ−ス体１内面側の左右両側に沿って設けられ、他の部分は針掛け部４ａより低い底面４ｂとなり、台部からなる針掛け部４ａと低い底面４ｂの間に傾斜面４ｃが形成される。
底面４ｂ上には図１で上方から下方に向けて帯状のカバ−体７が載せられ、カバ−体７の上端と下端（両端）は夫々ケ−ス体１の台板２上に固定され、長手方向の中程が縫着等でαのようにケ−ス体１に固定されている。
したがって、ケ−ス体１を図１のように見開き状に開いた時、ケ−ス体内面の外部側に針掛け部４ａが形成され、中央部側に針掛け部４ａより高さの低い平面状の底面４ｂが形成されて底面４ｂの上に帯状のカバ−体７が載せられている。
【００１０】
柔軟性を有する多孔質シ−ト４は合成樹脂発泡材やクロロプレンゴム等が使用されて針の先を差し込むことが可能である。
帯状のカバ−体７は透光性を有する材料で形成されてカバ−体７を介してルア−が視認できるため取り出すルア−の選択が容易にでき、長手方向の両側が開口７ａ、７ｂとなっているため、針掛け部４ａ側に形成された開口７ａからルア−本体９をカバ−体７の下に差し込んで、針掛け部４ａにその釣り針８を掛け止めする一連の作業が容易に行える。
針掛け部４ａから底面４ｂにかけて一体の多孔質シ−ト４が覆うため、針掛け部４ａの剥がれが防止され、針掛け部４ａから底面４ｂに向かって下がる傾斜面４ｃが多孔質シ−ト４によって形成されるため、針掛け部４ａから底面４ｂに至る間の部分においても仕掛けとの間に隙間ができにくく、仕掛けが動きにくくなる。
また、針掛け部４ａと針掛け部４ａ側に形成されたカバ−体７の開口７ａの間に針掛け部４ａから開口７ａに向かって下がる傾斜面４ｃが形成されているためルア−本体９が傾斜面４ｃに誘導されて開口７ａに差し込みやすい。
【００１１】
ケ−ス体１の中に仕掛けの釣り針８付のルア−本体９が収納される時は、台部からなる針掛け部４ａに釣り針８が差し込まれ、針先は台部の多孔質シ−ト４または針掛け部４ａを差し通して中子３の中に差し込まれる。
ルア−本体９は傾斜面４ｃを滑らせて低い底面４ｂの上のカバ−体７の下側に開口７ａから差し込まれる。
カバ−体７の下側に差し込まれたルア−本体９は低い底面４ｂの上に載ると、多孔質シ−ト４は表面に多数の孔を有していることから摩擦抵抗を受けるので動き難く、カバ−体７で隣同士が重なり合うことがないので、ルア−本体９同士が絡み付くことが防止される。
更にルア−本体９は釣り針８を掛け止めした針掛け部４ａより底面４ｂに配されるので動きにくく、さらに、カバ−体７の間で挾持されるので、二つ折りのケ−ス体１を開閉する時にルア−本体９が搖れてルア−本体９同士が絡み付くことが防止される。
また、カバ−体７は長手方向の中程がαのように固定されているので、開口７ａの開閉が規制されルア−本体９が傾いてもカバ−体７の中から飛び出すことがない。
【００１２】
前記説明では、カバ−体７の材料を透光性を有する材料と述べたが、透光性を有していなくともよく、柔軟性と伸縮性を有するゴム、合成樹脂で多孔質の材料等で形成してもよい。
透光性を有する材料の場合はカバ−体７の下側のルア−本体９の形状や状態がわかり、柔軟性と伸縮性を有するゴム、合成樹脂で多孔質の材料の場合はカバ−体７の下側でルア−本体９が滑り止めされ動きにくくなる。
カバ−体７は底面４ｂとの間でルア−本体９を挾持するとよいが、ルア−本体９の大きさや形状が様々であるため、ルア−本体９に接触していなくても、ルア−ケ−スを開いた時にルア−本体９がカバ−体７の下側から脱出しないように覆っていればよい。
前記説明では、台板２の上のケ−ス体内面側の左右に多孔質材からなる柔軟性を有する中子３が貼着固定されたが、台部を形成せず、中子３を省略して多孔質シ−ト４で針掛け部４ａを底面４ｂと同一平面で一体に形成してもよい。
図示の実施例では、ケ−ス体１を二つ折り可能な皮革や合成樹脂の台板２をファスナ−６で二つ折りにして閉じるように図示したが、矩形の硬質合成樹脂の箱としてもよい。
カバ−体７は帯状に形成したが、ルア−本体９の一部を覆っていればよく、さらに幅の狭い紐状に形成してもよい。
【００１３】
前記のように釣り用ルア−ケ−スが構成されると、ルア−の取り付けが容易で、ケ−スを開いたときに止着したルア−が動くことを防止しているため容易にルア−が収納出来る。
【実施例２】
【００１４】
図５から図７は第２実施例で、図５は釣り用ルア−ケ−スを開いた斜視図、図６は釣り用ルア−ケ−スの断面側面図、図７は釣り用ルア−ケ−スの要部拡大断面側面図である。
【００１５】
第２実施例では、柔軟性を有する多孔質シ−ト４の底面４ｂの上にポケット状の収納部を形成するようにカバ−体７′が載せられ、カバ−体７は針掛け部４ａ側が開口７ａとなり、カバ−体７の両端の上端と下端と開口７ａの他側が夫々台板２上に固定され、長手方向の中程が縫着等でαのように固定されている。
ポケット状のカバ−体７′は、底面４ｂとの間隔が開口７ａ側で広く、ルア−本体９が差し込みやすく、開口７ａより奥側が狭くなるため差し込まれたルア−本体９の動きが十分に規制される。
他の構成は前記第１実施例と略同一である。
【実施例３】
【００１６】
図８から図１０は第３実施例で、図８は釣り用ルア−ケ−スを開いた斜視図、図９は釣り用ルア−ケ−スの断面側面図、図１０は釣り用ルア−ケ−スの要部拡大断面側面図である。
【００１７】
第３実施例では、台板２の上に柔軟性を有する多孔質シ−ト４の周囲が縫着等で固定されて敷設され、底面４ｂに切り溝４ｄが開口されて台板２上と底面４ｂの間に空間が出来るように形成されて底面４ｂがカバ−体７″を構成している。
切り溝４ｄの前方の多孔質シ−ト４は釣り針８が差し込み可能であるため針掛け部４ａとなり、針掛け部４ａに差し込まれた釣り針８に係止されたルア−本体９は切り溝４ｄから底面４ｂの下側に差し込まれる。
他の構成は前記第１実施例と略同一である。
【産業上の利用可能性】
【００１８】
本発明は釣り用ルア−ケ−ス全般に利用できる。
【図面の簡単な説明】
【００１９】
【図１】第１実施例で、釣り用ルア−ケ−スを開いた斜視図である。
【図２】同釣り用ルア−ケ−スの断面側面図である。
【図３】同釣り用ルア−ケ−スの要部拡大断面側面図である。
【図４】同釣り用ルア−ケ−スが閉じられた斜視図である。
【図５】第２実施例で、釣り用ルア−ケ−スを開いた斜視図である。
【図６】同釣り用ルア−ケ−スの断面側面図である。
【図７】同釣り用ルア−ケ−スの要部拡大断面側面図である。
【図８】第３実施例で、釣り用ルア−ケ−スを開いた斜視図である。
【図９】同釣り用ルア−ケ−スの断面側面図である。
【図１０】同釣り用ルア−ケ−スの要部拡大断面側面図である。
【符号の説明】
【００２０】
１  ケ−ス体
４  多孔質シ−ト
４ａ  針掛け部
７、７′、７″  カバ−体
７ａ  開口
８  釣り針
９  ルア−本体
【図１】
2005278555.tif 000003
【図２】
2005278555.tif 000004
【図３】
2005278555.tif 000005
【図４】
2005278555.tif 000006
【図５】
2005278555.tif 000007
【図６】
2005278555.tif 000008
【図７】
2005278555.tif 000009
【図８】
2005278555.tif 000010
【図９】
2005278555.tif 000011
【図１０】
2005278555.tif 000012